(57)【要約】【課題】照明器具の取付作業が容易になると共に、電気配線等のケーブルの取りまとめなどの付帯作業の削減を図ることが可能になる照明器具支持構造を提供する。【解決手段】照明器具支持構造１は、照明器具（灯具）２の設置対象となるトンネル内周壁等の躯体部３に照明器具２を支持するための照明器具支持構造である。照明器具支持構造１は、それぞれ二本のアンカーボルト４によって躯体部３に取り付けられる複数のラック取付金具５と、複数のラック取付金具５に固定されるラック６と、照明器具２をラック６に固定するための挟み込み金具７と、を備えている。【選択図】図４
0003224909.tif 000002
【実用新案登録請求の範囲】
【請求項１】
照明器具の設置対象となる躯体部に前記照明器具を支持するための照明器具支持構造であって、
前記躯体部に取り付けられる複数のラック取付金具と、前記複数のラック取付金具に固定されるラックと、前記照明器具を前記ラックに固定するための挟み込み金具と、を備えたことを特徴とする照明器具支持構造。
【請求項２】
前記ラック取付金具は、前記躯体部への取付部と、前記ラックが載置固定されるラック固定部と、前記取付部と前記ラック固定部とを連結する連結部と、を有する略「コ」の字状の部材からなり、
前記ラックは、左右一対の側桁と、前記左右一対の側桁の両下縁部に架け渡される複数の支持金具と、を有し、
前記挟み込み金具は、第１の挟み込み金具構成部材と、前記照明器具が固定される第２の挟み込み金具構成部材と、からなり、前記第１及び第２の挟み込み金具構成部材が、前記連結部側の前記側桁を挟み込んだ状態で締結固定される、請求項１に記載の照明器具支持構造。
【請求項３】
端子台が収容されたジョイントボックスと、前記ジョイントボックスを前記ラックに固定するための第２の挟み込み金具と、を更に備える、請求項１又は２に記載の照明器具支持構造。
【請求項４】
前記第２の挟み込み金具は、第３の挟み込み金具構成部材と、前記ジョイントボックスが固定される第４の挟み込み金具構成部材と、からなり、前記第３及び第４の挟み込み金具構成部材が、前記連結部側の前記側桁を挟み込んだ状態で締結固定される、請求項３に記載の照明器具支持構造。
【考案の詳細な説明】
【技術分野】
【０００１】
本考案は、照明器具支持構造に関する。更に詳細には、本考案は、例えばトンネル内周壁等の躯体部に照明器具を支持するための照明器具支持構造に関する。
【背景技術】
【０００２】
従来、トンネル内周壁等（躯体部）に照明器具（灯具）を取り付けるに際しては、帯板やアング材で構成された４本の支持脚を、トンネル内周壁等にそれぞれアンカーボルト等でネジ固定し、その支持脚に対して、多数本のボルトを用いて照明器具を固定することが一般的であった（例えば、特許文献１等を参照）。
【先行技術文献】
【特許文献】
【０００３】
【特許文献１】特開２０１１−１８７３０４号公報
【考案の概要】
【考案が解決しようとする課題】
【０００４】
しかし、上記した照明器具の取付作業は、アンカーボルトやボルト等の多数本のネジ部材を締結するものであり、その作業に手間が掛かるという問題があった。また、電気配線等のケーブルの取りまとめなどの付帯作業が必要になるという問題もあった。
更に、トンネル内周壁等に支持固定された照明器具は、トンネル内を走行する車両の振動による揺れ等によって、脱落・落下等する危険性があった。
【０００５】
本考案は、従来技術における前記課題を解決するためになされたものであり、照明器具の取付作業が容易になると共に、電気配線等のケーブルの取りまとめなどの付帯作業の削減を図ることが可能になる照明器具支持構造を提供することを目的とする。
また、本考案は、照明器具が脱落・落下等する危険性を防止することが可能な照明器具支持構造を提供することをも目的とする。
【課題を解決するための手段】
【０００６】
前記目的を達成するため、本考案に係る照明器具支持構造の構成は、
（１）照明器具の設置対象となる躯体部に前記照明器具を支持するための照明器具支持構造であって、
前記躯体部に取り付けられる複数のラック取付金具と、前記複数のラック取付金具に固定されるラックと、前記照明器具を前記ラックに固定するための挟み込み金具と、を備えたことを特徴とする。
【０００７】
本考案の照明器具支持構造の上記（１）の構成によれば、もともと躯体部に設置されているラック（ケーブルラック）、及び、その支持構造（ラック取付金具）をそのまま利用して、照明器具を取り付けることができる。また、前記照明器具の取付けは、前記ラックに対して前記挟み込み金具を締結固定することだけで実施することができる。その結果、従来のように、多数本のネジ部材を締結して実施する場合に比べ、前記照明器具の取付けを、より簡単にかつ効率良く実施することができる。更に、前記ラック（ケーブルラック）を利用するものであるため、電気配線等のケーブルの取りまとめなどの付帯作業の削減を図ることもできる。
したがって、本考案の照明器具支持構造の上記（１）の構成によれば、前記照明器具の取付作業が容易になると共に、前記電気配線等のケーブルの取りまとめなどの付帯作業の削減を図ることが可能になる照明器具支持構造を提供することができる。
【０００８】
本考案の照明器具支持構造の上記（１）の構成においては、以下の（２）から（４）のような構成にすることが好ましい。
【０００９】
（２）前記ラック取付金具は、前記躯体部への取付部と、前記ラックが載置固定されるラック固定部と、前記取付部と前記ラック固定部とを連結する連結部と、を有する略「コ」の字状の部材からなり、
前記ラックは、左右一対の側桁と、前記左右一対の側桁の両下縁部に架け渡される複数の支持金具と、を有し、
前記挟み込み金具は、第１の挟み込み金具構成部材と、前記照明器具が固定される第２の挟み込み金具構成部材と、からなり、前記第１及び第２の挟み込み金具構成部材が、前記連結部側の前記側桁を挟み込んだ状態で締結固定される。
【００１０】
上記（２）の好ましい構成によれば、ラックの左右方向の位置を調整することにより、ラック取付金具の躯体部への取付位置の略真下の前後方向の直線上に照明器具支持構造の重心位置が来るように持っていくことが可能となる。
したがって、上記（２）の好ましい構成によれば、トンネル内周壁等に支持固定された照明器具が、トンネル内を走行する車両の振動による揺れ等によって、脱落・落下等する危険性を防止することが可能な照明器具支持構造を提供することができる。
【００１１】
（３）端子台が収容されたジョイントボックスと、前記ジョイントボックスを前記ラックに固定するための第２の挟み込み金具と、を更に備える。
【００１２】
上記（３）の好ましい構成によれば、端子の結線ミスを防止することができると共に、照明器具２の交換時の工数削減を図ることができる。
この場合、ジョイントボックスの取付けは、ラックに対して第２の挟み込み金具を締結固定することだけで実施することができる。したがって、上記（３）の好ましい構成によれば、前記照明器具の場合と同様、前記ジョイントボックスの取付作業が容易となる。
【００１３】
（４）前記第２の挟み込み金具は、第３の挟み込み金具構成部材と、前記ジョイントボックスが固定される第４の挟み込み金具構成部材と、からなり、前記第３及び第４の挟み込み金具構成部材が、前記連結部側の前記側桁を挟み込んだ状態で締結固定される。
【考案の効果】
【００１４】
本考案によれば、照明器具の取付作業が容易になると共に、電気配線等のケーブルの取りまとめなどの付帯作業の削減を図ることが可能になる照明器具支持構造を提供することができる。
また、本考案によれば、照明器具が脱落・落下等する危険性を防止することが可能な照明器具支持構造を提供することもできる。
【図面の簡単な説明】
【００１５】
【図１】図１は、本考案の一実施形態における照明器具支持構造の全体構成を示す斜視図である。
【図２】図２は、本考案の一実施形態における照明器具支持構造を斜め上方から見た斜視図である。
【図３】図３は、本考案の一実施形態における照明器具支持構造を斜め下方から見た斜視図である。
【図４】図４は、本考案の一実施形態における照明器具支持構造を後方（図２の矢印Ａの方向）から見た図である。
【図５】図５は、本考案の一実施形態における照明器具支持構造を構成する挟み込み金具が締結固定された状態を示す斜視図である。
【図６】図６は、本考案の一実施形態における照明器具支持構造を構成する挟み込み金具が締結固定された状態を前方（図５の矢印Ｂの方向）から見た断面図である。
【図７】図７は、本考案の一実施形態における照明器具支持構造を構成するジョイントボックスを取り付けた状態を示す斜視図である。
【図８】図８は、本考案の一実施形態における照明器具支持構造を構成するジョイントボックスを取り付けた状態を示す斜視図（ジョイントボックスの内部を露見させた状態）である。
【考案を実施するための形態】
【００１６】
以下、好適な実施形態を用いて本考案を更に具体的に説明する。但し、下記の実施形態は本考案を具現化した例に過ぎず、本考案はこれに限定されるものではない。
【００１７】
［照明器具支持構造の構成］
まず、本考案の一実施形態における照明器具支持構造の構成について、図１から図８を参照しながら説明する。
【００１８】
図１は、本考案の一実施形態における照明器具支持構造の全体構成を示す斜視図、図２は、当該照明器具支持構造を斜め上方から見た斜視図、図３は、当該照明器具支持構造を斜め下方から見た斜視図、図４は、当該照明器具支持構造を後方（図２の矢印Ａの方向）から見た図、図５は、当該照明器具支持構造を構成する挟み込み金具が締結固定された状態を示す斜視図、図６は、当該照明器具支持構造を構成する挟み込み金具が締結固定された状態を前方（図５の矢印Ｂの方向）から見た断面図、図７，図８は、当該照明器具支持構造を構成するジョイントボックスを取り付けた状態を示す斜視図（図８は、ジョイントボックスの内部を露見させた状態）である。
【００１９】
図１から図４に示すように、本実施形態の照明器具支持構造１は、照明器具（灯具）２の設置対象となるトンネル内周壁等の躯体部３（図４）に照明器具２を支持するための照明器具支持構造である。
照明器具支持構造１は、それぞれ二本のアンカーボルト４によって躯体部３に取り付けられる複数のラック取付金具５と、複数のラック取付金具５に固定されるラック６と、照明器具２をラック６に固定するための挟み込み金具７と、を備えている。
【００２０】
本実施形態の照明器具支持構造１の構成によれば、もともと躯体部３に設置されているラック６（ケーブルラック）、及び、その支持構造（ラック取付金具５）をそのまま利用して、照明器具２を取り付けることができる。また、照明器具２の取付けは、ラック６に対して挟み込み金具７を締結固定することだけで実施することができる。その結果、従来のように、多数本のネジ部材を締結して実施する場合に比べ、照明器具２の取付けを、より簡単にかつ効率良く実施することができる。更に、ラック６（ケーブルラック）を利用するものであるため、電気配線等のケーブルの取りまとめなどの付帯作業の削減を図ることもできる。
したがって、本実施形態の照明器具支持構造１の構成によれば、照明器具２の取付作業が容易になると共に、電気配線等のケーブルの取りまとめなどの付帯作業の削減を図ることが可能になる照明器具支持構造を提供することができる。
【００２１】
より詳細には、ラック取付金具５は、躯体部３への取付部５ａと、ラック６が載置固定されるラック固定部５ｂと、取付部５ａとラック固定部５ｂとを連結する連結部５ｃと、を有する略「コ」の字状の金属製アングル材からなっている。ここで、ラック固定部５ｂの長さは、取付部５ａの長さの略２倍である。取付部５ａと連結部５ｃは、略「く」の字状に一体成形されている。ラック固定部５ｂは、直線状に形成され、その一端部が連結部５ｃの端部にビス止め固定されている。取付部５ａと連結部５ｃの折り曲げ角度は、ラック取付金具５を躯体部３に取り付けたときに、ラック固定部５ｂが略水平状態となるように設定されている。
【００２２】
ラック６は、左右一対の金属製の側桁６ａ，６ｂと、左右一対の側桁６ａ，６ｂの両下縁部に所定のピッチで架け渡される複数の支持金具６ｃと、を有している。支持金具６ｃの上には、各種ケーブル類や配管類が配置される。
ラック取付金具５に対するラック６の取付けは、例えば、フックボルト等のネジ部材によって固着することにより行われる。
【００２３】
挟み込み金具７は、第１の挟み込み金具構成部材７ａと、照明器具２が固定される第２の挟み込み金具構成部材７ｂと、からなっている。第１の挟み込み金具構成部材７ａは、直線状の金属製アングル材からなり、その上下には、ボルト挿通孔（図示せず）が穿設されている。
【００２４】
図１から図６に示すように、第２の挟み込み金具構成部材７ｂは、略矩形状の金属製平板部材９と、平板部材９の下縁部を直角に折り曲げて形成した照明器具固定部９ａと、を備えている。照明器具固定部９ａには、その左右にボルト挿通孔（図示せず）が穿設されている。照明器具２は、前後一対の第２の挟み込み金具構成部材７ｂ，７ｂに架け渡した状態で、当該前後一対の第２の挟み込み金具構成部材７ｂ，７ｂにボルト１０ａとナット１０ｂによって締結固定される（以下、前後一対の第２の挟み込み金具構成部材７ｂ，７ｂに架け渡した状態で締結固定された照明器具２を「照明器具セット」という）。
【００２５】
第２の挟み込み金具構成部材７ｂは、平板部材９の右縁部を直角に折り曲げて形成した第１の挟み込み金具固定部９ｂを更に備えている。第１の挟み込み金具固定部９ｂの上下には、ボルト挿通孔（図示せず）が穿設されている。
第１及び第２の挟み込み金具構成部材７ａ，７ｂは、連結部５ｃ側の側桁６ａを挟み込んだ状態で、ボルト８ａとナット８ｂによって締結固定される。これにより、照明器具２は、ラック取付金具５、ラック６、挟み込み金具７を介して躯体部３に支持された状態となる。
【００２６】
以上説明した照明器具支持構造１の具体的構成によれば、図４に示すように、ラック６の左右方向の位置を調整することにより（図４の両矢印Ｃを参照）、ラック取付金具５の躯体部３への取付位置（二本のアンカーボルト４の中間位置）の略真下の前後方向（図４の紙面に垂直な方向）の直線上に照明器具支持構造の重心位置が来るように持っていくことが可能となる。
したがって、以上説明した照明器具支持構造１の具体的構成によれば、トンネル内周壁等に支持固定された照明器具２が、トンネル内を走行する車両の振動による揺れ等によって、脱落・落下等する危険性を防止することが可能な照明器具支持構造を提供することができる。
【００２７】
図７，図８に示すように、本実施形態の照明器具支持構造１は、端子台１１が収容されたジョイントボックス１２と、ジョイントボックス１２をラック６に固定するための第２の挟み込み金具１３と、を更に備えている。
一つのジョイントボックス１２は、上記のようにして支持された前後二つの照明器具２の間に配置され、当該前後二つの照明器具２のために使用される。
かかるジョイントボックス１２を備えた構成によれば、端子の結線ミスを防止することができると共に、照明器具２の交換時の工数削減を図ることができる。
この場合、ジョイントボックス１２の取付けは、ラック６に対して第２の挟み込み金具１３を締結固定することだけで実施することができる。したがって、照明器具２の場合と同様、ジョイントボックス１２の取付作業が容易となる。
【００２８】
第２の挟み込み金具１３は、第３の挟み込み金具構成部材１３ａと、ジョイントボックス１２が固定される第４の挟み込み金具構成部材１３ｂと、からなる。
第３の挟み込み金具構成部材１３ａは、前後一対の直線状金属製アングル材からなり、各アングル材の上下には、ボルト挿通孔（図示せず）が穿設されている。
第４の挟み込み金具構成部材１３ｂは、略矩形状の金属製平板部材からなり、その前後の上下にはボルト挿通孔（図示せず）が穿設されている。
第３及び第４の挟み込み金具構成部材１３ａ，１３ｂは、連結部５ｃ側の側桁６ａを挟み込んだ状態で、ボルト１４とナット（図示せず）によって締結固定される。そして、これにより、ジョイントボックス１２は、ラック取付金具５、ラック６、第２の挟み込み金具１３を介して躯体部３に支持された状態となる。
【００２９】
［照明器具支持構造の組立方法］
次に、本考案の一実施形態における照明器具支持構造の組立方法について説明する。
【００３０】
（照明器具セットの組立方法）
図１から図３に示すように、照明器具２を、前後一対の第２の挟み込み金具構成部材７ｂ，７ｂに架け渡した状態で、当該前後一対の第２の挟み込み金具構成部材７ｂ，７ｂにボルト１０ａとナット１０ｂによって締結固定する。これにより、照明器具セットが組み立てられる。この照明器具セットは、複数体用意される。
【００３１】
（照明器具の支持方法）
図１から図４に示すように、まず、複数のラック取付金具５を、躯体部３の前後方向（図４の紙面に垂直な方向）に所定の間隔で取り付ける。ラック取付金具５は、それぞれ二本のアンカーボルト４によって躯体部３に取り付けられる。
次いで、上記のようにして躯体部３に取り付けられた複数のラック取付金具５にラック６を固定する。ラック取付金具５に対するラック６の取付けは、フックボルトによって固着することにより行われる。
【００３２】
次いで、図１から図６に示すように、上記した複数の照明器具セットをラック６に所定の間隔で取り付ける。ラック６に対する照明器具セットの取付けは、第１及び第２の挟み込み金具構成部材７ａ，７ｂによって連結部５ｃ側の側桁６ａを挟み込み、当該第１及び第２の挟み込み金具構成部材７ａ，７ｂを、ボルト８ａとナット８ｂによって締結固定することにより行われる。
【００３３】
以上により、照明器具２が、ラック取付金具５、ラック６、挟み込み金具７を介して躯体部３に支持された状態となる。
なお、ラック６（ケーブルラック）、及び、その支持構造（ラック取付金具５）としては、もともと躯体部３に設置されているものをそのまま利用することもできる。そして、このようにすれば、従来のように、多数本のネジ部材を締結して実施する場合に比べ、照明器具２の取付けを、より簡単にかつ効率良く実施することができる。
【００３４】
次いで、図７，図８に示すように、上記のようにして支持された前後二つの照明器具２の間のラック６に、端子台１１が収容されたジョイントボックス１２を取り付ける。ラック６に対するジョイントボックス１２の取付けは、第３及び第４の挟み込み金具構成部材１３ａ，１３ｂによって連結部５ｃ側の側桁６ａを挟み込み、当該第３及び第４の挟み込み金具構成部材１３ａ，１３ｂを、ボルト１４とナット（図示せず）によって締結固定することにより行われる。
【００３５】
以上により、ジョイントボックス１２が、ラック取付金具５、ラック６、第２の挟み込み金具１３を介して躯体部３に支持された状態となり、
【００３６】
なお、上記実施形態においては、照明器具２の設置対象となる躯体部３がトンネル内周壁等である場合を例に挙げて説明した。しかし、本考案の照明器具支持構造は、かかる場合に限定されるものではない。躯体部は、ラックを設置し得る箇所であれば、例えば、プラットホームの天井裏等であってもよい。
【００３７】
また、上記実施形態においては、略「コ」の字状の金属製アングル材からなるラック取付金具５を備えた照明器具支持構造１を例に挙げて説明した。しかし、本考案は必ずしもこのような構成に限定されるものではない。ラック取付金具は、躯体部３に取り付けたときに略水平状態となるラック固定部を有していればよい。
【００３８】
また、上記実施形態においては、端子台１１が収容されたジョイントボックス１２と、ジョイントボックス１２をラック６に固定するための第２の挟み込み金具１３と、を更に備えた照明器具支持構造１を例に挙げて説明した。しかし、本考案は必ずしもこのような構成に限定されるものではない。これらジョイントボックス１２等は任意の構成要素であり、これらジョイントボックス１２等を含まない構成であっても、所期の目的を達成することはできる。
【符号の説明】
【００３９】
１  照明器具支持構造
２  照明器具（灯具）
３  躯体部（トンネル内周壁等）
４  アンカーボルト
５  ラック取付金具
５ａ  取付部
５ｂ  ラック固定部
５ｃ  連結部
６  ラック
６ａ，６ｂ  側桁
６ｃ  支持金具
７  挟み込み金具
７ａ  第１の挟み込み金具構成部材
７ｂ  第２の挟み込み金具構成部材
８ａ，１０ａ，１４  ボルト
８ｂ，１０ｂ  ナット
９  平板部材
９ａ  照明器具固定部
９ｂ  第１の挟み込み金具固定部
１１  端子台
１２  ジョイントボックス
１３  第２の挟み込み金具
１３ａ  第３の挟み込み金具構成部材
１３ｂ  第４の挟み込み金具構成部材
【図１】
0003224909.tif 000003
【図２】
0003224909.tif 000004
【図３】
0003224909.tif 000005
【図４】
0003224909.tif 000006
【図５】
0003224909.tif 000007
【図６】
0003224909.tif 000008
【図７】
0003224909.tif 000009
【図８】
0003224909.tif 000010